(57)【要約】【課題】脚の高さ位置の調節を工具なしで容易になし得るアジャスターの提供。【解決手段】一端側の外周面に雄ねじ２を形成した軸部３ａ、及び軸部の他端に軸部より大径の球状を呈して連設されかつ軸部の軸線ＡＬ1と垂直な断面が正多角形をなすように面取りされた多角面球状部３ｂからなる支軸３と、支軸の多角面球状部の半分余りを没入可能な多角凹部６を介して支軸と相対的に傾動可能に係合されるソケット５と、ソケットの外周面に嵌着されると共に支軸とソケットの相対的な傾動を許容しつつ多角面球状部からのソケットの離脱を防止する抜止めキャップ１０とを備える。【選択図】図２
2005106200.tif 000002
【特許請求の範囲】
【請求項１】
家具や器具等における脚の下端のねじに螺合して取り付けられ、脚の高さ位置を調節するアジャスターであって、一端側の外周面に雄ねじを形成した軸部、及び軸部の他端に軸部より大径の球状を呈して連設されかつ軸部の軸線と垂直な断面が正多角形をなすように面取りされた多角面球状部からなる支軸と、支軸の多角面球状部の半分余りを没入可能な多角凹部を介して支軸と相対的に傾動可能に係合されるソケットと、ソケットの外周面に嵌着されると共に支軸とソケットの相対的な傾動を許容しつつ多角面球状部からのソケットの離脱を防止する抜止めキャップとを備えることを特徴とするアジャスター。
【請求項２】
家具や器具等における脚の下端のねじに螺合して取り付けられ、脚の高さ位置を調節するアジャスターであって、一端側の軸芯部に雌ねじを形成した軸部、及び軸部の他端に軸部より大径の球状を呈して連設されかつ軸部の軸線と垂直な断面が正多角形をなすように面取りされた多角面球状部からなる支軸と、支軸の多角面球状部の半分余りを没入可能な多角凹部を介して支軸と相対的に傾動可能に係合されるソケットと、ソケットの外周面に嵌着されると共に支軸とソケットの相対的な傾動を許容しつつ多角面球状部からのソケットの離脱を防止する抜止めキャップとを備えることを特徴とするアジャスター。
【請求項３】
前記ソケットと抜止めキャップの底面を覆って抜止めキャップの外周面に嵌着されるカップ状の弾性材からなる台座を備えることを特徴とする請求項１又は２記載のアジャスター。
【発明の詳細な説明】
【技術分野】
【０００１】
本発明は、家具や器具、装置、スタンド等の脚の高さ位置を調節するアジャスターに関する。
【背景技術】
【０００２】
この種のアジャスターは、家具や器具等における脚の下端のねじに螺合して取り付けられるものが殆どであり、従来、上記アジャスターとしては、ベースと、このベースに球関節によって取り付けられる支軸と、この支軸に取り付けられたナットを備える家具類の高さを調整装置、上端にねじ部、下端に半球状ピボット頭部、及びねじ部とピボット頭部との間に工具係合部を設けた支軸部材と、弾性台座部材と、支軸部材のピボット頭部を回動可能に支持するため台座部材の中央部上面に埋まる半球状凹部を設けた剛性受支持部材とから構成した高さ及び角度が調節可能な支脚が知られている。
【０００３】
しかし、従来のいずれのアジャスターにおいても、脚の高さ位置の調節に際しては、支軸に固定したナット等の工具係合部にスパナ等の工具を係合して支軸を回転操作する必要がある。
従って、家具や器具等を移動した時は、高さや水平の調節、特に、屋外での傾斜地や不整地等では場所が移動する度毎に、高さや水平の調節が頻繁に必要となる場合が多くなり、その都度、工具を使用した支軸の回転操作を余儀なくされ、面倒で手間が掛かり、作業効率の低下は避けられない。
【特許文献１】実開昭４８−９５９７０号公報
【特許文献２】特開２００３−６５４９１号公報
【特許文献３】実開平４−２３４４５号公報
【発明の開示】
【発明が解決しようとする課題】
【０００４】
本発明は、脚の高さ位置の調節のために支軸を回転操作する際に、スパナ等の工具を使用することなく、脚の高さ位置の調節を容易になし得るアジャスターの提供を課題とする。
【課題を解決するための手段】
【０００５】
本発明の第１のアジャスターは、家具や器具等における脚の下端のねじに螺合して取り付けられ、脚の高さ位置を調節するアジャスターであって、一端側の外周面に雄ねじを形成した軸部、及び軸部の他端に軸部より大径の球状を呈して連設されかつ軸部の軸線と垂直な断面が正多角形をなすように面取りされた多角面球状部からなる支軸と、支軸の多角面球状部の半分余りを没入可能な多角凹部を介して支軸と相対的に傾動可能に係合されるソケットと、ソケットの外周面に嵌着されると共に支軸とソケットの相対的な傾動を許容しつつ多角面球状部からのソケットの離脱を防止する抜止めキャップとを備えることを特徴とする。
【０００６】
第２のアジャスターは、家具や器具等における脚の下端のねじに螺合して取り付けられ、脚の高さ位置を調節するアジャスターであって、一端側の軸芯部に雌ねじを形成した軸部、及び軸部の他端に軸部より大径の球状を呈して連設されかつ軸部の軸線と垂直な断面が正多角形をなすように面取りされた多角面球状部からなる支軸と、支軸の多角面球状部の半分余りを没入可能な多角凹部を介して支軸と相対的に傾動可能に係合されるソケットと、ソケットの外周面に嵌着されると共に支軸とソケットの相対的な傾動を許容しつつ多角面球状部からのソケットの離脱を防止する抜止めキャップとを備えることを特徴とする。
【０００７】
又、第３のアジャスターは、第１又は第２のものにおいて、前記ソケットと抜止めキャップの底面を覆って抜止めキャップの外周面に嵌着されるカップ状の弾性材からなる台座を備えることを特徴とする。
【発明の効果】
【０００８】
本発明の第１のアジャスターによれば、抜止めキャップの回転操作によって、支軸が抜止めキャップと一体化したソケットに拘束されて回転するので、従来のようにスパナ等の工具が不要となり、脚の高さ位置の調節を容易に行うことができ、作業効率の向上を図ることができる。
【０００９】
第２のアジャスターによれば、第１のものと同様に、抜止めキャップの回転操作によって、支軸が抜止めキャップと一体化したソケットに拘束されて回転するので、脚の高さ位置の調節を容易に行うことができる。
【００１０】
又、第３のアジャスターによれば、第１又は第２のものによる作用効果の他、抜止めキャップの外周面及び抜止めキャップとソケットの底面が弾性材によって覆われるので、設置面に対する家具や器具等の滑りを防止できると共に、抜止めキャップとソケットの保護を図ることができる。
【発明を実施するための最良の形態】
【００１１】
支軸は、軸部と多角面球状部を金属で一体に形成してもよく、又、金属の軸部に合成樹脂の多角面球状部をインサート成形して形成してもよい。
支軸の軸部の軸線と垂直な断面のなす多角面球状部の正多角形としては、正三角形、正方形、正五角形、正六角形、正七角形、正八角形、その他が挙げられる。
ソケットの外周面に対する抜止めキャップの嵌着は、ソケットの外周面に対する抜止めキャップのきつい嵌合、打込み、又はソケットに嵌めた抜止めキャップの開口端のかしめ、あるいはビス又はノックピン等による廻り止めを兼ねる固定によってなされる。
台座の弾性材としては、ゴム等が用いられ、その内外表面には、滑り止めのための凹凸又はロレット等が形成されていることが好ましい。
又、台座と抜止めキャップの不用意な離脱を防止するため、両者の周面に径違い段部を形成することが好ましい。
一方、脚の下端のねじと螺合する支軸のねじの緩み止めのため、支軸の雄ねじ又は脚のねじ棒に螺合する緩止めナットを備えることが好ましく、この緩止めナットは、手で容易に廻せる形状であることが好ましい。
【実施例１】
【００１２】
図１、図２、図３、図４、図５及び図６は、それぞれ本発明に係る実施例１のアジャスターの斜視図、分解斜視図、支軸の六角面球状部の対角線を通る縦断面図、支軸の六角面球状部の対向辺中心線を通る縦断面図、家具や器具等の垂直な脚への使用状態を示す斜視図及び家具や器具等の傾斜した脚への使用状態を示す斜視図である。
【００１３】
このアジャスター１は、家具や器具、装置、スタンド等における脚Ｌの下端面に開口する雌ねじ（図示せず）に螺合する雄ねじ２を一端側（図１〜６においては上端側）の外周面に形成した軸部３ａと、軸部３ａの他端（図１〜６においては下端）に軸部３ａより大径の球状を呈して連設され、かつ、軸部３ａの軸線と垂直な断面が正六角形なすように面取りされてほぼ円形の面３ｃと楕円形の稜線４を有する六角面球状部３ｂとからなる支軸３（図７、図８参照）を備えている。
【００１４】
支軸３の六角面球状部３ｂには、その半分余りを没入可能なカップ状のソケット５（図９、図１０参照）が、正六角形の角穴６ａ及びその下端に連なる円錐面６ｂで形成される六角凹部６を介して支軸３の軸線ＡＬ1とソケット５の軸線ＡＬ2が最大約３０°の角度をなす範囲で相対的に傾動可能に係合されており、この相対的な傾動は、軸線ＡＬ1，ＡＬ2回りの３６０°の範囲で可能である。
そして、ソケット５には、後述する抜止めキャップ等との嵌合を容易にしかつ水抜きをするため、底部中央に透孔７が形成され、又、底部外周縁に面取り８が施されている。
【００１５】
ソケット５の外周面には、支軸３とソケット５の相対的な傾動を許容しつつ六角面球状部３ｂからのソケット５の離脱を防止すべく天井部に円錐孔９を形成した有底短円筒状の抜止めキャップ１０（図１１、図１２参照）が、きつい嵌め合いによって嵌着されている。
そして、抜止めキャップ１０の外周には、後述する台座の離脱を防止するため、天井部側の外径を小径にして径違い段部１１が形成され、又、台座との嵌合を容易にするため、下端外周縁に面取り１２が施されている。
【００１６】
抜止めキャップ１０の外周面には、設置面に対する家具や器具等の滑りを防止すると共に、抜止めキャップ１０やソケット５の損傷等を防止するため、ゴム等の弾性材からなるカップ状の台座１３が、ソケット５と抜止めキャップ１０の底面を覆い、かつ、その開口端側の内径を小径にして形成した径違い段部１４を抜止めキャップ１０の径違い段部１１と係合すると共にきつい嵌め合いとすることによって嵌着されている。
そして、台座１３の底部には、抜止めキャップ１０及びソケット５との嵌合を容易にしかつ水抜きをするため、底部中央に透孔１５が形成され、又、設置面との滑りを防止するため、外底面に円形の凹部１６及び溝１７が形成されている。
【００１７】
図１〜図６において１８は支軸３の雄ねじ２に螺合した緩止めナットで、この緩止めナット１８は、操作者の手による回動を容易にするため、平面視花びら状に形成されている。
【００１８】
上述した構成のアジャスター１を用いて家具や器具等の脚Ｌの高さ位置を調節するには、緩止めナット１８を緩めると共に、脚Ｌを適宜に持ち上げた後、操作者が台座１３を把持し、適宜に回転し、しかる後に、緩止めナット１８を脚Ｌの下端面に押圧する。
【００１９】
図１５は、本発明に係る実施例２のアジャスターの斜視図である。
【００２０】
このアジャスター１′は、実施例１のものが、家具や器具等における脚Ｌの下端面に開口する雌ねじに螺合する雄ねじ２を一端側の外周面に形成した軸部３ａを有する支軸３を備えているのに対し、家具や器具、装置、スタンド等における脚Ｌ′の下端面に突出するねじ棒２０に螺合する雌ねじ２１を一端側（図１５においては上端側）の軸心部に形成した軸部３ａ′と、軸部３ａ′の他端（図１５においては下端）に軸部３ａ′より大径の球状を呈して連設され、かつ、軸部３ａ′の軸線と垂直な断面が正六角形をなすように面取りされてほぼ円形の面３ｃと楕円形の稜線４を有する六角面球状部３ｂとからなる支軸３′を備えているものである。
【００２１】
他の構成及び作用は、実施例１のものとほぼ同様であるので、同一の構成部材等には同一の符号を付してその説明を省略する。
【００２２】
なお、上述した両実施例においては、ソケット５と抜止めキャップ１０の底面を覆って抜止めキャップ１０の外周面に嵌着されるカップ状の弾性材からなる台座１３を備える場合について説明したが、設置面の滑り等を考慮する必要がない場合は、台座１３を備える必要がない。
【図面の簡単な説明】
【００２３】
【図１】本発明に係る実施例１のアジャスターの斜視図である。
【図２】図１のアジャスターの分解斜視図である。
【図３】図１のアジャスターにおける支軸の六角面球状部の対角線を通る縦断面図である。
【図４】図１のアジャスターにおける支軸の六角面球状部の対向辺中心線を通る縦断面図である。
【図５】図１のアジャスターの家具や器具等の垂直な脚への使用状態を示す斜視図である。
【図６】図１のアジャスターの家具や器具等の傾斜した脚への使用状態を示す斜視図である。
【図７】図１のアジャスターにおける支軸の正面図である。
【図８】図７の支軸の平面図である。
【図９】図１のアジャスターにおけるソケットの縦断面図である。
【図１０】図９のソケットの平面図である。
【図１１】図１のアジャスターにおける抜止めキャップの縦断面図である。
【図１２】図１１の抜止めキャップの底面図である。
【図１３】図１のアジャスターにおける台座の縦断面図である。
【図１４】図１３における XIV−XIV 線矢視断面図である。
【図１５】本発明に係る実施例２のアジャスターの斜視図である。
【符号の説明】
【００２４】
２  雄ねじ
３  支軸
３′  支軸
３ａ  軸部
３ａ′  軸部
３ｂ  六角面球状部
３ｃ  面
４  稜線
５  ソケット
６  六角凹部
６ａ  角穴
６ｂ  円錐面
９  円錐孔
１０  抜止めキャップ
１１  径違い段部
１３  台座
１４  径違い段部
２０  ねじ棒
２１  雌ねじ
Ｌ  脚
Ｌ′  脚
ＡＬ1  軸線
ＡＬ2  軸線
【図１】
2005106200.tif 000003
【図２】
2005106200.tif 000004
【図３】
2005106200.tif 000005
【図４】
2005106200.tif 000006
【図５】
2005106200.tif 000007
【図６】
2005106200.tif 000008
【図７】
2005106200.tif 000009
【図８】
2005106200.tif 000010
【図９】
2005106200.tif 000011
【図１０】
2005106200.tif 000012
【図１１】
2005106200.tif 000013
【図１２】
2005106200.tif 000014
【図１３】
2005106200.tif 000015
【図１４】
2005106200.tif 000016
【図１５】
2005106200.tif 000017